(57)【要約】【課題】螺合により結合される一対の部材間を容易に着脱させることを可能にする。【解決手段】支持治具１は、保持部２と、柄部３と、接続部４と、接続部４の保持部２と柄部３との間に設けられ、ソケットを有するエクステンションバーを回転可能に支持するガイド部５とを含む。ガイド部５は、ソケットの回転軸と直交する方向におけるエクステンションバーの移動を、エクステンションバーのソケットがナットを保持した状態を保つことが可能な所定範囲内に規制する。【選択図】図１
2019202379.tif 000002
【特許請求の範囲】
【請求項１】
螺合により結合される一対の部材の一方の部材を保持可能な第１保持部と、
柄部と、
前記柄部及び前記第１保持部を互いに離隔させた状態で接続する接続部と、
前記柄部及び前記第１保持部の離隔方向において前記接続部の前記第１保持部と前記柄部との間に設けられ、前記一対の部材の他方の部材を保持可能な第２保持部を有し前記他方の部材を回転させる際の前記第２保持部の回転軸方向に沿って延在するエクステンションバーを回転可能に支持するガイド部とを備えており、
前記ガイド部は、前記エクステンションバーの前記回転軸と直交する方向への移動を、前記第２保持部が前記他方の部材を保持した状態を保つことが可能な所定範囲内に規制することを特徴とするエクステンションバー用支持治具。
【請求項２】
前記接続部は、前記第１保持部と接続された第１部分と、前記柄部と接続され、前記離隔方向に沿って前記第１部分に対してスライド可能に配置された第２部分と、前記第２部分を前記第１部分に対して固定した固定状態及び前記固定状態を解除した解除状態を選択的にとることが可能な状態変更機構とを有していることを特徴とする請求項１に記載のエクステンションバー用支持治具。
【請求項３】
螺合により結合される一対の部材の一方の部材を保持可能な第１保持部、柄部、及び、前記柄部と前記第１保持部とを互いに離隔させた状態で接続する接続部を有する保持用工具の前記接続部を固定した固定状態及び前記固定状態を解除した解除状態を選択的にとることが可能な状態変更機構と、前記一対の部材の他方の部材を保持可能な第２保持部を有し前記他方の部材を回転させる際の前記第２保持部の回転軸方向に沿って延在するエクステンションバーを回転可能に支持するガイド部とを備えており、
前記ガイド部は、前記エクステンションバーの前記回転軸と直交する方向への移動を、前記第２保持部が前記他方の部材を保持した状態を保つことが可能な所定範囲内に規制することを特徴とするエクステンションバー用支持治具。
【発明の詳細な説明】
【技術分野】
【０００１】
本発明は、螺合により結合される一対の部材間の着脱を行う際に用いられるエクステンションバーを回転可能に支持するためのエクステンションバー用支持治具に関する。
【背景技術】
【０００２】
ファン等の回転部材を回転軸に取り付ける場合、回転部材を回転軸に嵌めた後ナット等で回転部材を回転軸に固定する。このナット等を締め付ける作業は、回転部材が回転しないよう回転部材を固定したうえで行う必要がある。この作業では、通常、片手に持った一つの工具で回転部材を固定しながら、他の手に持った他の工具でナット等を締め付けており、取り付け作業が難しかった。
【０００３】
特許文献１には、螺合により結合される一対の部材のそれぞれを、一対のスパナ具の口部のそれぞれを嵌め合わせ、一対の柄部の他端を接離させることで、一方の部材を他方の部材に対して回動させて、螺合により結合される一対の部材間を着脱させることが可能なスパナ装置について記載されている。
【先行技術文献】
【特許文献】
【０００４】
【特許文献１】特許第５２３６６０６号公報
【発明の概要】
【発明が解決しようとする課題】
【０００５】
しかしながら、上記特許文献１に記載のスパナ装置においては、一方のスパナ具に対して他方のスパナ具が、一方のスパナ具の頭部の回動軸を中心とする曲率半径の円弧に沿って延在するガイド部に沿って移動可能に構成されているため、締め付け対象の部材が狭い場所や奥まった場所にある場合には、使用することができない。
【０００６】
本発明の目的は、螺合により結合される一対の部材間を容易に着脱させることが可能なエクステンションバー用支持治具を提供することである。
【課題を解決するための手段】
【０００７】
本発明のエクステンションバー用支持治具は、螺合により結合される一対の部材の一方の部材を保持可能な第１保持部と、柄部と、前記柄部及び前記第１保持部を互いに離隔させた状態で接続する接続部と、前記柄部及び前記第１保持部の離隔方向において前記接続部の前記第１保持部と前記柄部との間に設けられ、前記一対の部材の他方の部材を保持可能な第２保持部を有し前記他方の部材を回転させる際の前記第２保持部の回転軸方向に沿って延在するエクステンションバーを回転可能に支持するガイド部とを備えている。そして、前記ガイド部は、前記エクステンションバーの前記回転軸と直交する方向への移動を、前記第２保持部が前記他方の部材を保持した状態を保つことが可能な所定範囲内に規制する。
【０００８】
また、本発明のエクステンションバー用支持治具は、別の観点では、螺合により結合される一対の部材の一方の部材を保持可能な第１保持部、柄部、及び、前記柄部と前記第１保持部とを互いに離隔させた状態で接続する接続部を有する保持用工具の前記接続部を固定した固定状態及び前記固定状態を解除した解除状態を選択的にとることが可能な状態変更機構と、前記一対の部材の他方の部材を保持可能な第２保持部を有し前記他方の部材を回転させる際の前記第２保持部の回転軸方向に沿って延在するエクステンションバーを回転可能に支持するガイド部とを備えている。そして、前記ガイド部は、前記エクステンションバーの前記回転軸と直交する方向への移動を、前記第２保持部が前記他方の部材を保持した状態を保つことが可能な所定範囲内に規制する。
【０００９】
これらによると、第１保持部で一方の部材を保持した状態で、第２保持部で他方の部材を保持しエクステンションバーをラチェットハンドルなどの柄部を介して回転させて他方の部材を回転させる際に、当該エクステンションバーの回転軸に直交する方向への移動を所定範囲内に規制することが可能となる。このため、第２保持部が他方の部材を保持した状態を保つことが可能となって、螺合により結合される一対の部材間を容易に着脱させることが可能となる。
【００１０】
本発明において、前記接続部は、前記第１保持部と接続された第１部分と、前記柄部と接続され、前記離隔方向に沿って前記第１部分に対してスライド可能に配置された第２部分と、前記第２部分を前記第１部分に対して固定した固定状態及び前記固定状態を解除した解除状態を選択的にとることが可能な状態変更機構とを有していることが好ましい。これにより、離隔方向において、接続部の長さを調整することが可能となる。
【発明の効果】
【００１１】
本発明のエクステンションバー用支持治具は、第１保持部で一方の部材を保持した状態で、第２保持部で他方の部材を保持しエクステンションバーをラチェットハンドルなどの柄部を介して回転させて他方の部材を回転させる際に、当該エクステンションバーの回転軸に直交する方向への移動を所定範囲内に規制することが可能となる。このため、第２保持部が他方の部材を保持した状態を保つことが可能となって、螺合により結合される一対の部材間を容易に着脱させることが可能となる。
【図面の簡単な説明】
【００１２】
【図１】本発明の第１実施形態に係るエクステンションバー用支持治具によってエクステンションバーが支持された状態の斜視図である。
【図２】図１に示すエクステンションバー用支持治具を示しており、（ａ）は正面図であり、（ｂ）は側面図である。
【図３】モータのモータ軸にシロッコファンが仮固定された状況を示す概略図である。
【図４】第１実施形態に係るエクステンションバー用支持治具を用いて、モータのモータ軸にシロッコファンを本固定するときの状況を示す概略図である。
【図５】本発明の第２実施形態に係るエクステンションバー用支持治具によってエクステンションバーが支持された状態の斜視図である。
【図６】図５に示すエクステンションバー用支持治具を示しており、（ａ）は上面図であり、（ｂ）は側面図である。
【図７】第２実施形態に係るエクステンションバー用支持治具を用いて、モータのモータ軸にシロッコファンを本固定するときの状況を示す概略図である。
【発明を実施するための形態】
【００１３】
以下、本発明の第１実施形態に係るエクステンションバー用支持治具１について、図１及び図２を参照しつつ以下に説明する。エクステンションバー用支持治具１（以下、支持治具１と称する）は、例えば金属から構成されており、図１に示すように、保持部２と、柄部３と、保持部２と柄部３とを接続する接続部４と、ガイド部５とを有する。保持部（第１保持部）２は、図１に示すように、第１方向Ａに延在する一対の延在部１１と、第２方向Ｂに延在する繋ぎ部１２とを有する。一対の延在部１１は、繋ぎ部１２の第２方向Ｂの各端部から第１方向Ａに沿って突出して形成され、第２方向Ｂに互いに離隔した状態で繋ぎ部１２と繋がっている。また、保持部２には、図１に示すように、一対の延在部１１と繋ぎ部１２とに囲まれた部分に凹形状の嵌合部１３が構成されている。この嵌合部１３は、後述のボス部（一方の部材）２２１と嵌合可能に構成されている。このような嵌合部１３をボス部２２１に嵌合させて、保持部２で当該ボス部２２１を保持する。第１方向Ａは、第２方向Ｂに対して直交しており、柄部３の延在方向と平行である。また、図１中に示す第３方向Ｃは、第１方向Ａ及び第２方向Ｂと直交する方向である。変形例として、第１方向Ａは第２方向Ｂに対して直交していなくてもよく、第１方向Ａは柄部３の延在方向と平行でなくてもよい。また、第３方向Ｃは第１方向Ａ及び第２方向Ｂと直交する方向でなくてもよい。
【００１４】
柄部３は、図１及び図２に示すように、ユーザが手で握ることが可能な部分であり、例えば第１方向Ａに沿って長尺な矩形平面形状を有する平板から構成されている。変形例として、柄部３は、握りやすいように曲面を有していてもよい。接続部４は、図１に示すように、第１部分１５と、第３方向Ｃにおいて第１部分１５よりも短い第２部分１６と、後述の固定機構６（状態変更機構）とを有する。第１部分１５及び第２部分１６は、図１及び図２に示すように、ともに第３方向Ｃ（離隔方向）に沿って長尺に延在する平板から構成されており、第１方向Ａに並んで配置されている。つまり、第２部分１６は、第３方向Ｃに沿って第１部分１５に対してスライド可能に配置されている。第１部分１５は、その下端に保持部２が接続されている。第２部分１６は、その上端に柄部３の一端が接続されている。つまり、接続部４は、保持部２と柄部３を第３方向Ｃに沿って互いに離隔させた状態で接続する。なお、変形例として、第２部分１６の第３方向Ｃの長さは、第１部分１５の第３方向Ｃの長さ以上であってもよい。
【００１５】
また、第１部分１５には、図１及び図２に示すように、６つの孔１５ａが形成されている。６つの孔１５ａは、第１部分１５の厚み方向（第１方向Ａ）に貫通して形成されている。また、６つの孔１５ａは、第１部分１５の中央部分から上方部分に形成されており、第３方向Ｃに沿って等間隔で配置されている。また、第２部分１６には、６つの孔１６ａが形成されている。６つの孔１６ａも、第２部分１６の厚み方向（第１方向Ａ）に貫通して形成されている。６つの孔１６ａは、第２部分１６の全長に亘って、第３方向Ｃに沿って等間隔で配置されている。これら孔１５ａ，１６ａは、同じ直径を有し、第３方向Ｃに沿って隣接する孔１５ａ，１６ａ同士の間隔が同じになっている。また、これら孔１５ａ，１６ａは、図２（ｂ）に示すように、第１部分１５の上端と第２部分１６の上端との位置を合わせた状態で、互いに対向する。各孔１５ａ，１６ａの内径は、後述のボルト１７が挿通可能な大きさであれば、互いに異なっていてもよい。なお、６つの孔１５ａの形成位置は第１部分１５の中央部分から上方部分ではなく中央部分や下方部分でもよいし、第１部分１５の全体に亘っていてもよい。また、６つの孔１６ａの形成位置は、第２部分１６の全長に亘っていなくてもよい。
【００１６】
固定機構（状態変更機構）６は、第１部分１５に形成された６つの孔１５ａと、第２部分１６に形成された６つの孔１６ａと、ボルト１７と、ナット１８とで構成されている。固定機構６は、図２（ｂ）に示すように、孔１５ａ，１６ａ同士を対向させ、孔１５ａ，１６ａにボルト１７を挿通させた状態で、ボルト１７にナット１８を締め付けることで、第１部分１５が第２部分１６に対して移動不可能な固定状態をとることが可能となる。一方、固定機構６は、ナット１８をボルト１７から外して、ボルト１７を孔１５ａ，１６ａから抜き取ることで、第１部分１５が第２部分１６に対して第３方向Ｃに沿って移動可能な解除状態をとることが可能となる。固定機構６が解除状態をとるときに、第２部分１６を第１部分１５に対して第３方向Ｃに沿ってスライドさせ、孔１６ａを孔１５ａのいずれかと対向させた状態で固定機構６を固定状態にすることで、接続部４の第３方向Ｃの長さを所望長さに調整することが可能となる。
【００１７】
ガイド部５は、図１及び図２に示すように、公知のアイボルトから構成されている。つまり、ガイド部５は、円環部２１と、外周面に雄ネジが形成されたネジ部２２と、円環部２１とネジ部２２とを繋ぐ円柱状の繋ぎ部２３とを有している。繋ぎ部２３の直径は、孔１５ａの直径よりも大きい。ネジ部２２の直径は、孔１５ａの直径よりも若干小さい。また、ネジ部２２を孔１５ａ，１６ａに挿通させた状態で、ネジ部２２にナット２４を締め付けることで、ガイド部５が接続部４に固定される。なお、ガイド部５も固定機構６の一部を兼用していてもよい。この場合、固定機構６は、ボルト１７とナット１８に代えて、ガイド部５とナット２４でその一部が構成されてもよい。
【００１８】
また、ガイド部５は、接続部４に固定された状態において、第３方向Ｃから見て、円環部２１の中心が保持部２の嵌合部１３の中心（嵌合部１３で保持した後述のボス部２２１の中心）と一致している。また、ガイド部５は、第３方向Ｃから見て、円環部２１の中心が、保持部２でボス部２２１を保持した状態において、当該ボス部２２１と螺合により結合される後述のナット２２２の回転軸とも一致するように、配置されている。
【００１９】
円環部２１の内径は、後述のエクステンションバー３０２を挿通可能な大きさであり、且つナット２２２の着脱の際にエクステンションバー３０２の先端のソケット３０２ｂがナット２２２から外れないようにエクステンションバー３０２をガイド可能な大きさに設定されている。つまり、ガイド部５は、エクステンションバー３０２を回転可能に支持する。図２（ｂ）に示すように、接続部４の第３方向Ｃに沿う中心軸Ｅ１と、円環部２１の中心及び嵌合部１３の中心を通る中心軸Ｅ２が平行になるように構成されている。
【００２０】
続いて、支持治具１を用いて、公知のモータ２１０のモータ軸２１１に公知のシロッコファン２２０を接続するときの状況について、図３及び図４を参照しつつ以下に説明する。
【００２１】
モータ２１０は、図３に示すように、取付フランジ２１０ａを介してフレーム２００に固定されている。フレーム２００には、モータ２１０のモータ軸２１１を挿通させるための貫通孔２０１が形成されている。モータ軸２１１の先端部には、雄ネジが形成されている。モータ軸２１１は、モータ２１０がフレーム２００に取り付けられた状態において、先端が貫通孔２０１から突出した位置に配置される程度の長さを有している。
【００２２】
ユーザは、図３に示すように、モータ２１０のモータ軸２１１の先端がシロッコファン２２０のボス部２２１から突出するように、モータ軸２１１にシロッコファン２２０を取り付ける。本実施形態におけるボス部２２１は、外形が六角ナットと同様な形状を有しており、ボス部２２１の二面幅と、保持部２の一対の延在部１１間がちょうど対応している。つまり、保持部２の嵌合部１３はボス部２２１を嵌合可能に構成されている。この後、モータ軸２１１の先端にモータ軸２１１の雄ネジに対応するナット２２２を、ユーザが手などで取り付ける。つまり、シロッコファン２２０がモータ軸２１１に仮固定される。
【００２３】
このような仮固定の状態において、図４に示すように、保持部２の嵌合部１３にボス部２２１を嵌合させるように、ユーザは支持治具１をシロッコファン２２０内に配置させる。こうして、ボス部２２１を介してシロッコファン２２０自体が支持治具１によって保持され、シロッコファン２２０の回転が規制される。なお、支持治具１は、ガイド部５に公知のラチェットハンドル３０１に接続された公知のエクステンションバー３０２が挿通された状態で、シロッコファン２２０内に配置される。エクステンションバー３０２は、図４中の上下方向（後述の回転軸Ｇ２方向）に沿って延在し、一端がラチェットハンドル３０１に接続された円柱状のロッド部３０２ａと、ロッド部３０２ａの他端に接続された公知のソケット３０２ｂ（第２保持部）とで構成されている。また、モータ軸２１１は、ボス部２２１のキー溝に嵌合するモータ軸２１１のキー（ともに不図示）によって、ボス部２２１に対して係止されている。なお、ソケット３０２ｂは、ナット２２２に嵌合可能なサイズである。
【００２４】
次に、ユーザが、図４に示すように、エクステンションバー３０２のソケット３０２ｂにナット２２２を嵌合させる。そして、この状態で、ユーザがラチェットハンドル３０１を操作して、ナット２２２がモータ軸２１１に締め付けられるように、エクステンションバー３０２をナット２２２の回転軸Ｇ１周りに回転させる。
【００２５】
なお、ソケット３０２ｂとナット２２２との間には、嵌合させやすくするための僅かな隙間がある。つまり、ソケット３０２ｂのナット２２２と嵌合する嵌合部（不図示）はナット２２２よりも若干大きめに形成されている。このため、ソケット３０２ｂがナット２２２から外れなければエクステンションバー３０２の回転軸Ｇ２（すなわち、ソケット３０２ｂの回転軸）がナット２２２の回転軸Ｇ１に対して若干傾いたとしても、ナット２２２をモータ軸２１１に締め付けることが可能である。このような螺合により、ナット２２２（他方の部材）とボス部２２１（一方の部材）とが結合される。
【００２６】
本実施形態のガイド部５は、円環部２１の内径Ｄが上述したようにソケット３０２ｂがナット２２２から外れないようにエクステンションバー３０２をガイド可能な大きさに設定されている。このため、ユーザがラチェットハンドル３０１を操作したときに、エクステンションバー３０２の回転軸Ｇ２がナット２２２の回転軸Ｇ１に対して傾いたとしても、ソケット３０２ｂがナット２２２から外れる手前でエクステンションバー３０２がガイド部５と接触しその傾きが規制される。つまり、ガイド部５は、ナット２２２を回転させる際に、エクステンションバー３０２の回転軸Ｇ２と直交する方向（円環部２１の内径方向）への移動を円環部２１の内径Ｄの範囲（所定範囲）内に規制する。
【００２７】
一方、螺合によりナット２２２とボス部２２１とが結合された状態から、図４に示すように支持治具１を配置し、ラチェットハンドル３０１を操作することで、ナット２２２をモータ軸２１１から緩めて取り外すことが可能となる。この場合も、ガイド部５は、ナット２２２を回転させる際に、エクステンションバー３０２の回転軸Ｇ２と直交する方向への移動を円環部２１の内径Ｄの範囲（所定範囲）内に規制する。
【００２８】
以上に述べたように、本実施形態の保持部２（第１保持部）でシロッコファン２２０のボス部２２１（一方の部材）を保持した状態で、ソケット３０２ｂ（第２保持部）でナット２２２（他方の部材）を保持し、ラチェットハンドル３０１を介してエクステンションバー３０２を回転させてナット２２２を回転させる際に、当該エクステンションバー３０２の回転軸Ｇ２と直交する方向への移動を所定範囲内に規制することが可能となる。このため、ソケット３０２ｂがナット２２２を保持した状態を保つことが可能となって、螺合により結合されるボス部２２１とナット２２２間（一対の部材間）を容易に着脱させることが可能となる。また、ガイド部５はエクステンションバー３０２を回転可能に支持するため、ガイド部５自体のサイズが比較的小さくなり、エクステンションバー用支持治具１自体の小型化を図ることが可能となる。
【００２９】
続いて、第２実施形態に係るエクステンションバー用支持治具４０１について、図５及び図６を参照しつつ以下に説明する。なお、第１実施形態と同様なものについては、同符号で示し説明を省略する。エクステンションバー用支持治具４０１（以下、支持治具４０１と称する）は、例えば金属から構成されており、図５に示すように、第１方向Ａに沿って長尺な略直方体形状の本体４０２を有している。本体４０２には、ガイド部４０５と、固定機構４０６とが設けられている。
【００３０】
ガイド部４０５は、図５及び図６に示すように、本体４０２に形成された貫通孔４０５ａから構成されている。この貫通孔４０５ａは、第３方向Ｃに沿って貫通しており、上述の円環部２１の内径と同じ内径を有している。つまり、ガイド部４０５も、上述のガイド部５と同様に、エクステンションバー３０２を回転可能に支持する。貫通孔４０５ａは、その中心が本体４０２の第２方向Ｂの中央に配置されている。また、貫通孔４０５ａは、図６（ａ）に示すように、本体４０２の左側に配置されている。
【００３１】
固定機構４０６（状態変更機構）は、図５及び図６に示すように、本体４０２に形成された２つの貫通孔４０７，４０８と、スリット４０９と、ボルト４１０とで構成されている。貫通孔４０７は、第３方向Ｃに沿って貫通しており、後述のエクステンション用ロッド５０２の直径よりも若干大きな内径を有している。貫通孔４０７は、その中心が本体４０２の第２方向Ｂの中央に配置されている。また、貫通孔４０７は、図６（ａ）に示すように、本体４０２の右側に配置されている。
【００３２】
スリット４０９は、図６（ａ）に示すように、本体４０２の右側端部に第３方向Ｃに沿って貫通するように形成されている。また、スリット４０９は、本体４０２の右側端面と貫通孔４０７とを繋ぐように形成されている。スリット４０９は、本体４０２の第２方向Ｂの中央に配置されている。
【００３３】
貫通孔４０８は、図６（ａ）に示すように、第２方向Ｂに沿って貫通している。また、貫通孔４０８は、本体４０２の第３方向Ｃの中央に配置されている。貫通孔４０８の内周面には、ボルト４１０の雄ネジに対応する雌ネジが形成されている。ボルト４１０は、貫通孔４０８に螺合されている。貫通孔４０８に対するボルト４１０の締め込み量の調整で、スリット４０９の幅を所定範囲内で調整可能となる。これにより、図５に示すように、孔４０７内にエクステンション用ロッド５０２を挿通させた状態で、ボルト４１０を締め込むことで、孔４０７の内径を小さくし、エクステンション用ロッド５０２の所望位置で本体４０２を固定することが可能となる。このエクステンション用ロッド５０２（接続部）も公知のものであり、図５に示すように、公知のラチェットハンドル５０１（柄部）に接続される。また、エクステンション用ロッド５０２の下端には、公知のクローフットレンチ５０３（第１保持部）が接続されている。本実施形態におけるクローフットレンチ５０３は、上述の保持部２と同様に、シロッコファン２２０のボス部２２１に対して嵌合可能な嵌合部５１３を有している。また、ラチェットハンドル５０１、エクステンション用ロッド５０２及びクローフットレンチ５０３より構成される保持用工具５００が、本体４０２に固定されている状態において、嵌合部５１３の中心（嵌合部５１３で保持した後述のボス部２２１の中心）が、貫通孔４０５ａの中心と一致している。
【００３４】
続いて、支持治具４０１を用いて、公知のモータ２１０のモータ軸２１１に公知のシロッコファン２２０を接続するときの状況について、図７を参照しつつ以下に説明する。本実施形態においても、上述の実施形態と同様に、フレーム２００に取り付けられたモータ２１０のモータ軸２１１にシロッコファン２２０が仮固定される。
【００３５】
このような仮固定の状態において、図７に示すように、クローフットレンチ５０３の嵌合部５１３にボス部２２１を嵌合させるように、ユーザは支持治具４０１に固定された保持用工具５００をシロッコファン２２０内に配置させる。こうして、ボス部２２１を介してシロッコファン２２０自体が支持治具４０１に固定された保持用工具５００によって保持され、シロッコファン２２０の回転が規制される。そして、ガイド部４０５に公知のラチェットハンドル３０１に接続された公知のエクステンションバー３０２が挿通される。
【００３６】
次に、ユーザが、上述の実施形態と同様に、図７に示すように、エクステンションバー３０２のソケット３０２ｂにナット２２２を嵌合させる。そして、この状態で、ユーザがラチェットハンドル３０１を操作して、ナット２２２がモータ軸２１１に締め付けられるように、エクステンションバー３０２をナット２２２の回転軸Ｇ１周りに回転させる。
【００３７】
この場合においても、ソケット３０２ｂがナット２２２から外れなければエクステンションバー３０２の回転軸Ｇ２がナット２２２の回転軸Ｇ１に対して若干傾いたとしても、ナット２２２をモータ軸２１１に締め付けることが可能である。このような螺合により、ナット２２２（他方の部材）とボス部２２１（一方の部材）とが結合される。
【００３８】
本実施形態のガイド部４０５も、上述の実施形態のガイド部５と同様に、ソケット３０２ｂがナット２２２から外れないようにエクステンションバー３０２をガイド可能な大きさに設定されている。このため、ユーザがラチェットハンドル３０１を操作したときに、エクステンションバー３０２の回転軸Ｇ２がナット２２２の回転軸Ｇ１に対して傾いたとしても、ソケット３０２ｂがナット２２２から外れる手前でエクステンションバー３０２がガイド部４０５（貫通孔４０５ａの内周面）と接触しその傾きが規制される。つまり、ガイド部４０５は、ナット２２２を回転させる際に、エクステンションバー３０２の回転軸Ｇ２と直交する方向への移動を貫通孔４０５ａの内径の範囲（所定範囲）内に規制する。
【００３９】
一方、螺合によりナット２２２とボス部２２１とが結合された状態から、図７に示すように支持治具４０１を配置し、ラチェットハンドル３０１を操作することで、ナット２２２をモータ軸２１１から緩めて取り外すことが可能となる。この場合も、ガイド部４０５は、ナット２２２を回転させる際に、エクステンションバー３０２の回転軸Ｇ２と直交する方向への移動を貫通孔４０５ａの内径の範囲（所定範囲）内に規制する。
【００４０】
以上に述べたように、本実施形態のクローフットレンチ５０３（第１保持部）でシロッコファン２２０のボス部２２１（一方の部材）を保持した状態で、ソケット３０２ｂ（第２保持部）でナット２２２（他方の部材）を保持し、ラチェットハンドル３０１を介してエクステンションバー３０２を回転させてナット２２２を回転させる際に、当該エクステンションバー３０２の回転軸Ｇ２と直交する方向への移動を所定範囲内に規制することが可能となる。このため、上述の実施形態と同様に、ソケット３０２ｂがナット２２２を保持した状態を保つことが可能となって、螺合により結合されるボス部２２１とナット２２２間（一対の部材間）を容易に着脱させることが可能となる。また、ガイド部４０５はエクステンションバー３０２を回転可能に支持するため、ガイド部４０５自体のサイズが比較的小さくなり、エクステンションバー用支持治具４０１自体の小型化を図ることが可能となる。また、本実施形態における支持治具４０１では、公知の保持用工具５００を用いることで、シロッコファン２２０のボス部２２１を保持することが可能となる。このように支持治具４０１は、公知の保持用工具を利用することでその汎用性が高くなる。
【００４１】
以上、本発明の好適な実施の形態について説明したが、本発明は上述の実施の形態に限られるものではなく、特許請求の範囲に記載した限りにおいて様々な変更が可能なものである。例えば、第１及び第２実施形態におけるシロッコファン２２０のボス部２２１は、その外形が六角形状以外であってもよい。この場合、保持部２は、ボス部を保持可能に構成されておれば、どのような形状であってもよい。また、クローフットレンチ５０３以外であってもよく、ボス部を保持することが可能な公知の工具であればよい。また、螺合によりボス部に結合される部材がナット２２２以外の部材であってもよい。この場合、ソケット３０２ｂに代えて、当該ナット以外の部材を保持可能な工具を採用すればよい。また、第１実施形態におけるガイド部５が、アイボルトだけから構成されていてもよい。つまり、ナット２４が設けられていなくてもよい。また、ガイド部５は、エクステンションバー３０２を回転可能に支持可能であれば、特にアイボルトから構成されていなくてもよい。ガイド部５が、接続部４に直接的に固定された円環部２１から構成されていてもよい。
【００４２】
上述の固定機構６は、第１部分１５と第２部分１６との固定及び固定の解除を選択的にとることが可能であれば、どのような機構であってもよい。また、固定機構６を省略し、接続部４の長さを調整できない構成としてもよい。上述の固定機構４０６も、本体４０２に対するエクステンション用ロッド５０２の固定及び固定の解除を選択的にとることが可能な他の機構で構成されていてもよい。また、固定機構４０６の固定の解除ができない構成としてもよい。
【００４３】
第１及び第２実施形態における支持治具１，４０１は、シロッコファン２２０のボス部２２１とナット２２２との間の着脱に採用しているが、ボス部２２１とナット２２２以外の、螺合によって結合する一対の部材間の着脱に採用してもよい。
【符号の説明】
【００４４】
１，４０１  支持治具（エクステンションバー用支持治具）
２  保持部（第１保持部）
３  柄部
４  接続部
５，４０５  ガイド部
６，４０６  固定機構（状態変更機構）
１５  第１部分
１６  第２部分
２２１  ボス部（一方の部材）
２２２  ナット（他方の部材）
３０２  エクステンションバー
３０２ｂ  ソケット（第２保持部）
５００  保持用工具
５０１  ラチェットハンドル（柄部）
５０２  エクステンション用ロッド（接続部）
５０３  クローフットレンチ（第１保持部）
Ｇ２  回転軸
【図１】
2019202379.tif 000003
【図２】
2019202379.tif 000004
【図３】
2019202379.tif 000005
【図４】
2019202379.tif 000006
【図５】
2019202379.tif 000007
【図６】
2019202379.tif 000008
【図７】
2019202379.tif 000009